【事件の表示】
　特願２０１３−５５１３３７「ストリーミングビデオの自動再生のための挿入ポイント」拒絶査定不服審判事件〔平成２４年　８月　２日国際公開、ＷＯ２０１２／１０３３４８、平成２６年　４月１７日国内公表、特表２０１４−５０９４７８、請求項の数（１８）〕について、次のとおり審決する。
【結　論】
　原査定を取り消す。
　本願の発明は、特許すべきものとする。
【理　由】
第１　手続の経緯及び本願発明
１　手続の経緯
　本件出願は、２０１２年（平成２４年）１月２６日（パリ条約による優先権主張外国庁受理２０１１年１月２７日、米国）を国際出願日とする出願であって、その手続の経緯は、以下のとおりである。
　　
　平成２６年　８月２９日：拒絶理由の通知
　平成２７年　３月　２日：手続補正
　平成２７年　８月２５日：拒絶査定
　平成２７年　９月　１日：拒絶査定の謄本の送達
　平成２８年　１月　４日：拒絶査定不服審判の請求
　平成２８年　１月　４日：手続補正
　平成２８年　８月２５日：拒絶理由の通知（当審）
　平成２８年１２月１３日：手続補正
 　 
２　本願発明
　本願の請求項１〜１８に係る発明（以下、それぞれの発明を項番を用いて「本願発明１」等という。）は、平成２７年３月２日付け、平成２８年１月４日付け、平成２８年１２月１３日付け手続補正により補正された特許請求の範囲、明細書及び図面の記載からみて、その特許請求の範囲の請求項１〜１８に記載した事項により特定されるとおりのものであるところ、その請求項１〜１８の記載は次のとおりのものである。
 　 
「　【請求項１】
　コンピューター実装方法であって、
　クライアント装置に提示する第１のメディアタイトル群を特定するステップと、
　前記第１のメディアタイトル群に含まれる第１のメディアタイトルに対して、前記第１のメディアタイトルに対して特定された複数の挿入ポイントから選択された第１の挿入ポイントであって、前記クライアント装置に前記第１のメディアタイトルのストリーミングを開始する第１のフレームを指定する第１の挿入ポイントを特定するステップと、
　前記第１の挿入ポイントから前記クライアント装置で自動再生するように構成された前記第１のメディアタイトルを前記第１の挿入ポイントから前記クライアント装置へストリーミングするステップと、
　
前
　前記複数の挿入ポイントに含まれた挿入ポイントであって、前
記印
　前記印に基づいて、前記第１のメディアタイトルが前記クライアント装置上で既に前記第１の挿入ポイントからストリーミングの開始が行われたことを判定するステップと、
　
前
　前記第２の挿入ポイントから前記クライアント装置に前記第１のメディアタイトルのストリーミングを開始するステップと、
をさらに備えたコンピューター実装方法。
　　【請求項２】
　前記第１のメディアタイトルから前記第１のメディアタイトル群に含まれる第２のメディアタイトルに切り替える要求を受信するステップと、
　前記クライアント装置へ前記第２のメディアタイトルのストリーミングを開始するフレームを指定する第３の挿入ポイントを前記第２のメディアタイトルに対して特定するステップと、
　前記第２のメディアタイトルを前記第３の挿入ポイントから前記クライアント装置へストリーミングを開始するステップと、
をさらに備えたことを特徴とする請求項１記載のコンピューター実装方法。
　　【請求項３】
　前記第１のメディアタイトル群は、指定された好みに応じて決定されることを特徴とする請求項１記載のコンピューター実装方法。
　　【請求項４】
　前記クライアント装置が、全画面モードで前記第１のメディアタイトルを再生するように構成されることを特徴とする請求項１記載のコンピューター実装方法。
　　【請求項５】
　前記クライアント装置が、ウィンドモードで前記第１のメディアタイトルを再生するように構成されることを特徴とする請求項１記載のコンピューター実装方法。
　　【請求項６】
　前記クライアント装置が、ケーブルセットボックス、パーソナルコンピュータ、および、デジタルビデオレコーダーの少なくとも１つであることを特徴とする請求項１記載のコンピューター実装方法。
　　【請求項７】
　プロセッサーにより実行されると該プロセッサーが処理を実行するための命令を記録したコンピューター読み取り可能な記録媒体であって、
　前記処理が、
　クライアント装置に提示する第１のメディアタイトル群を特定するステップと、
　前記第１のメディアタイトル群に含まれる第１のメディアタイトルに対して、前記第１のメディアタイトルに対して特定された複数の挿入ポイントから選択された第１の挿入ポイントであって、前記クライアント装置に前記第１のメディアタイトルのストリーミングを開始する第１のフレームを指定する第１の挿入ポイントを特定するステップと、
　前記第１の挿入ポイントから前記クライアント装置で自動再生するように構成された前記第１のメディアタイトルを前記第１の挿入ポイントから前記クライアント装置へストリーミングするステップと、
　
前
　前記複数の挿入ポイントに含まれた挿入ポイントであって、前
記印
る
　前記印に基づいて、前記第１のメディアタイトルが前記クライアント装置上で既に前記第１の挿入ポイントからストリーミングの開始が行われたことを判定するステップと、
　
前
　前記第２の挿入ポイントから前記クライアント装置に前記第１のメディアタイトルのストリーミングを開始するステップと、
をさらに備えることを特徴とするコンピューター読み取り可能な記録媒体。
　　【請求項８】
　前記処理が、
　前記第１のメディアタイトルから前記第１のメディアタイトル群に含まれる第２のメディアタイトルに切り替える要求を受信するステップと、
　前記クライアント装置へ前記第２のメディアタイトルのストリーミングを開始するフレームを指定する第３の挿入ポイントを前記第２のメディアタイトルに対して特定するステップと、
　前記第２のメディアタイトルを前記第３の挿入ポイントから前記クライアント装置へストリーミングを開始するステップと、
をさらに備えたことを特徴とする請求項７記載のコンピューター読み取り可能な記録媒体。
　　【請求項９】
　前記第１のメディアタイトル群は、指定された好みに応じて決定されることを特徴とする請求項７記載のコンピューター読み取り可能な記録媒体。
　　【請求項１０】
　前記クライアント装置が、全画面モードで前記第１のメディアタイトルを再生するように構成されることを特徴とする請求項７記載のコンピューター読み取り可能な記録媒体。
　　【請求項１１】
　前記クライアント装置が、ウィンドモードで前記第１のメディアタイトルを再生するように構成されることを特徴とする請求項７記載のコンピューター読み取り可能な記録媒体。
　　【請求項１２】
　前記クライアント装置が、ケーブルセットボックス、パーソナルコンピュータ、および、デジタルビデオレコーダーの少なくとも１つであることを特徴とする請求項７記載のコンピューター読み取り可能な記録媒体。
　　【請求項１３】
　メモリと、
　１以上のアプリケーションプログラムを格納するプロセッサーであって、プロセッサー上で実行されることによって、ストリーミングメディアコンテンツをクライアント装置に配信するための処理を実行するように構成されたプロセッサーを備えたシステムにおいて、
　前記処理が、
　前記クライアント装置に提示する第１のメディアタイトル群を特定するステップと、
　前記第１のメディアタイトル群に含まれる第１のメディアタイトルに対して、前記第１のメディアタイトルに対して特定された複数の挿入ポイントから選択された第１の挿入ポイントであって、前記クライアント装置に前記第１のメディアタイトルのストリーミングを開始する第１のフレームを指定する第１の挿入ポイントを特定するステップと、
　前記第１の挿入ポイントから前記クライアント装置で自動再生するように構成された前記第１のメディアタイトルを前記第１の挿入ポイントから前記クライアント装置へストリーミングするステップと、
　
前
　前記複数の挿入ポイントに含まれた挿入ポイントであって、前
記印
る
　前記印に基づいて、前記第１のメディアタイトルが前記クライアント装置上で既に前記第１の挿入ポイントからストリーミングの開始が行われたことを判定するステップと、
　
前
　前記第２の挿入ポイントから前記クライアント装置に前記第１のメディアタイトルのストリーミングを開始するステップと、
をさらに備えることを特徴とするシステム。
　　【請求項１４】
　前記処理が、
　前記第１のメディアタイトルから前記第１のメディアタイトル群に含まれる第２のメディアタイトルに切り替える要求を受信するステップと、
　前記クライアント装置へ前記第２のメディアタイトルのストリーミングを開始するフレームを指定する第３の挿入ポイントを前記第２のメディアタイトルに対して特定するステップと、
　前記第２のメディアタイトルを前記第３の挿入ポイントから前記クライアント装置へストリーミングを開始するステップと、
をさらに備えたことを特徴とする請求項１３記載のシステム。
　　【請求項１５】
　前記第１のメディアタイトル群は、指定された好みに応じて決定されることを特徴とする請求項１３記載のシステム。
　　【請求項１６】
　前記クライアント装置が、全画面モードで前記第１のメディアタイトルを再生するように構成されることを特徴とする請求項１３記載のシステム。
　　【請求項１７】
　前記クライアント装置が、ウィンドモードで前記第１のメディアタイトルを再生するように構成されることを特徴とする請求項１３記載のコンピューター読み取り可能な記録媒体。
　　【請求項１８】
　前記クライアント装置が、ケーブルセットボックス、パーソナルコンピュータ、および、デジタルビデオレコーダーの少なくとも１つであることを特徴とする請求項１３記載のコンピューター読み取り可能な記録媒体。」
（下線は、平成２８年１２月１３日付け手続補正の箇所を示す。）
　　
２　本願発明１の分説
　本願発明１を分説すると次のとおりである。
　　
（本願発明１）
（Ａ）コンピューター実装方法であって、
（Ｂ）クライアント装置に提示する第１のメディアタイトル群を特定するステップと、
（Ｃ）前記第１のメディアタイトル群に含まれる第１のメディアタイトルに対して、前記第１のメディアタイトルに対して特定された複数の挿入ポイントから選択された第１の挿入ポイントであって、前記クライアント装置に前記第１のメディアタイトルのストリーミングを開始する第１のフレームを指定する第１の挿入ポイントを特定するステップと、
（Ｄ）前記第１の挿入ポイントから前記クライアント装置で自動再生するように構成された前記第１のメディアタイトルを前記第１の挿入ポイントから前記クライアント装置へストリーミングするステップと、
（Ｅ）前記第１の挿入ポイントを介して第１のメディアタイトルが前記クライアント装置上でプレビューされた印を記録するステップとを備え、
（Ｆ）前記複数の挿入ポイントに含まれた挿入ポイントであって、前記印が記録された該挿入ポイントから前記第１のメディアタイトルが前記クライアント装置でプレビューされる挿入ポイントは、少なくとも指定された時間内に二回用いられることがないものであり、
　前記印に基づいて、前記第１のメディアタイトルが前記クライアント装置上で既に前記第１の挿入ポイントからストリーミングの開始が行われたことを判定するステップと、
（Ｇ）前記クライアント装置へ第１のメディアタイトルのストリーミングを開始する前記複数の挿入ポイントのうちの第２のフレームを指定する第２の挿入ポイントであって、前記第１の挿入ポイントとは異なる前記第２の挿入ポイントを前記第１のメディアタイトルに対して特定するステップと、
（Ｈ）前記第２の挿入ポイントから前記クライアント装置に前記第１のメディアタイトルのストリーミングを開始するステップと、
（Ｉ）をさらに備えたコンピューター実装方法。
　　
（（Ａ）〜（Ｉ）は、当審で付与した。以下各構成要件を「構成要件Ａ」等という。）
　　
第２　原査定の理由について
１　原査定の理由の概要 
　本願の請求項１〜１８に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
 　　　　　　　　　　　　　　　記 
　引用文献１：特表２００７−５１５１１４号公報
　引用文献２：特開２００６−３３０５７号公報（周知技術）
　引用文献３：特開２００７−２０８９３６号公報
　引用文献４：特開２００６−２０３２７２号公報（周知技術）
　　
　請求項１について
　引用文献１（特に、段落【００１０】〜【００１２】、【００５７】、図１等）には、ストリーミングメディアコンテンツをクライアントプレーヤー（本願発明の「クライアント装置」に相当）に配信するストリーミングシステムにおいて、顧客が見たい映画の種類（カテゴリ）を指定し、更に、その種類に属する映画（本願発明の「メディアタイトル」に相当）を選択して視聴可能とすることが記載されている。
　また、引用文献１には、各映画のストリーミング再生時に「ストリーミングを開始するフレームを指定する挿入ポイントを特定する」点について記載されていないが、引用文献２（特に、段落【００３２】、【００３９】〜【００４０】等）に記載されているように、端末装置（本願発明の「クライアント装置」に相当）に動画コンテンツを配信するシステムにおいて、再生を開始するプレビューポジション（本願発明の「挿入ポイント」に相当）を特定して配信する手法は周知であるから、引用文献１に記載の発明において、顧客が選択した映画を配信する際に、再生を開始するプレビューポジションを特定して配信するように変更することに格別の困難性はない。
　さらに、１つのコンテンツから複数の部分を切り出し、これらをつなげたダイジェスト映像を作成すること（例えば、引用文献４を参照されたい。）、また、コンテンツの再生を中断する場合において再生を中断した位置を記録し、次に前記コンテンツを再生するときに、前記再生を中断した位置から再生を開始することは周知技術である。さらに、複数の部分を切り出してつなげたダイジェスト映像の再生を中断して次に再生する場合において、中断した位置を記録して前記位置から再生するか、あるいは、前記複数の部分単位で再生した部分を記録（印）し、再生していない部分の先頭（第２の挿入ポイント）から再生するかは当業者による設計的事項に過ぎない。
（請求項２〜１８については略）
（なお、原査定の理由中の上記請求項は、平成２７年３月２日付け手続補正により補正された特許請求の範囲に記載された請求項である。）
　　
２　原査定の理由で引用された引用文献に記載された発明に基づく容易想到性について
（１）引用文献の記載及び引用文献に記載された発明
ア　引用文献１
（ア）引用文献１の記載事項
　原査定の理由で引用された引用文献１には、「ビデオ・オン・デマンドのストリーミング配信の機能強化を提供するシステムおよびその方法」（発明の名称）に関し、図面と共に次に掲げる事項が記載されている。
（下線は当審で付与した。）
　　
「【０００９】
　本発明は、
ビデオ・オン・デマンドシステムのストリーミング配信
前記システムはメディアサーバとクライアントプレイヤーとを有し
ユーザはクライアントプレイヤーを介してユーザが次に表示する、前記メディアサーバから前記クライアントプレイヤーに送信する望みのビデオを選択できる
　【００１０】
　図１は、本発明の１つの実施形態に従った前記システムの一般的な構造を図示したものである。最初に、前記エンドユーザはＨＴＴＰ　ＧＥＴコマンドを前記ウェブサーバに発して、リアルタイム・ストリーミング・プロトコール（Ｒｅａｌ　Ｔｉｍｅ　Ｓｔｒｅａｍｉｎｇ　Ｐｒｏｔｏｃｏｌ：ＲＴＳＰ）セッションを開始する。前記ウェブサーバは、前記接続要求を受信し処理した後に、前記エンドユーザにセッション記述を送り返すことができる。前記ウェブサーバが前記接続を構築することに同意した場合、クライアントプレイヤーを開始することができ、クライアントプレイヤーはセットアップ（ＳＥＴＵＰ）要求を前記メディアサーバに発信することができ、前記クライアントプレイヤーと前記メディアサーバ間の接続が構築される。その結果、データ通信の準備ができ、前記ユーザは、その後に
前記メディアサーバからストリーミング配信される
　【００１１】
　前記ストリーミング配信制御に関して、本発明の１つの実施形態では、リアルタイム・ストリーミング・プロトコール（Ｒｅａｌ　Ｔｉｍｅ　Ｓｔｒｅａｍｉｎｇ　Ｐｒｏｔｏｃｏｌ：ＲＴＳＰ）を使用してもよい。その人気と品質を考慮すると、メディア配信の設定と制御に適したプロトコールである。前記実際のデータ転送に対しては、インターネット・エンジニアリング・タスク・フォース（Ｉｎｔｅｒｎｅｔ　Ｅｎｇｉｎｅｅｒｉｎｇ　Ｔａｓｋ　Ｆｏｒｃｅ：ＩＥＴＦ）が書かれたリアルタイム転送プロトコール（Ｒｅａｌ−ｔｉｍｅ　Ｔｒａｎｓｐｏｒｔ　Ｐｒｏｔｏｃｏｌ：ＲＴＰ）を使用してもよい。ＲＴＰはＴＣＰ／ＩＰまたはＵＤＰの上に層をなしており、リアルタイムのデータ送信に効果的である。
　【００１２】
　リソース制御には、リソース・リザーベション・プロトコール（Ｒｅｓｏｕｒｃｅ　ＲｅｓｅＶａｔｉｏｎ　Ｐｒｏｔｏｃｏｌ：ＲＳＶＰ）を使用して前記ＱｏＳサービスをエンドユーザに提供してもよい。クライアントプレイヤーが前記ウェブサーバに品質要求事項のある映画の要求を送信した場合、前記ウェブサーバは前記要求に対する前記リソースが利用可能かどうかを決定できる。前記リソースが利用可能な場合、前記メディアサーバから前記クライアントサーバへメディア送信するためにそれをリザーブできる。そうでない場合には、前記ウェブサーバは前記クライアントの要求に応えるだけの充分なリソースがないことを通知できる。本発明の１つの実施形態では、前記ウェブサーバと前記メディアサーバは単一サーバに統合できる。」
　　
「【００５７】
　実装の後、本発明の別の実施形態では、
顧客が見たい映画を検索することができる
映画の種類を指定できる
　　
（イ）　引用文献１に記載された発明
　引用文献１の段落【０００９】〜【００１２】には、ビデオ・オン・デマンドシステムのストリーミング配信方法が記載されている。
　当該システムは、メディアサーバとクライアントプレイヤーを有し（段落【０００９】）、ユーザは、メディアサーバからクライアントプレイヤーに送信するビデオを選択でき（段落【０００９】、メディアサーバからストリーミング配信される（段落【００１０】）。
　また、顧客が見たい映画を映画を検索するために、映画の種類を指定できることが記載されている（段落【００５７】）。そして、上記のようにユーザはビデオを選択するものであるから、映画の種類を指定する場合には、ユーザは、映画の種類を指定し、その後映画の種類に対応した複数の映画が提示され、ユーザが複数の映画から１つの映画を選択するものと認められる。
　サーバの動作としては、クライアントプレイヤーに提示する映画の種類に対応した複数の映画を特定するものである。
　　
　サーバの動作は、サーバのコンピュータがプログラムを実行することにより行われると認められるから、コンピュータ実装方法として認定すると、次のとおりである。この発明を以下「引用発明」という。
　　
（引用発明）
（ａ）コンピュータ実装方法であって、
（ｂ）クライアントプレイヤーに提示する映画の種類に対応した複数の映画を特定するステップと、
（ｃ）映画の種類に対応した複数の映画に含まれる選択された映画のストリーミングするステップとを
（ｄ）備えたコンピュータ実装方法。
　　
（（ａ）〜（ｄ）は、引用発明の構成を区別するために付与した。以下各構成を「構成ａ」等という。）
　　
イ　引用文献２
（ア）原査定の理由で引用された引用文献２には、「動画コンテンツ配信装置」（発明の名称）に関し、図面と共に次に掲げる事項が記載されている。
（下線は当審で付与した。）
　　
「【００３２】
　動画コンテンツ処理制御手段52は、利用者のサンプル視聴操作に伴い管理サーバ31にプレビュー配信リクエストを行うプレビュー配信指示手段56を備えている。
プレビュー配信とは、利用者が指定した動画コンテンツ２のハイライトシーンのみを配信する
当該ハイライトシーンの時間データが関連付けられたプレビューポジションが
配信サーバ32に登録されている
　　
「【００３８】
　図４は、配信サーバ32の概略構成を示したブロック図である。
配信サーバ32は
動画コンテンツ２を端末装置14に配信する動画コンテンツ配信手段70
を備えている
　【００３９】
　
動画コンテンツ配信手段70は
動画コンテンツ２の中からハイライトシーンをピックアップしたダイジェスト版を端末装置14に配信するプレビュー配信機能を備えている
　【００４０】
　以下、プレビュー配信の流れについて説明する。利用者がリモコン装置22のスイッチ21の操作により、サンプル視聴操作を行なうと、端末装置14のプレビュー指示手段56がＮＥＴ通信制御手段61を介して、管理サーバ31に
プレビュー配信リクエストを送信する
配信サーバ32では、動画コンテンツ配信手段70が前記プレビューポジションに沿ってハイライトシーンのみを端末装置14に配信する
　【００４１】
　次に、当該ビデオオンデマンドシステムにおいて利用者が動画コンテンツ２を視聴するまでの一連の流れについて説明する。
　【００４２】
　利用者が、予め購入したプリペイドカード15をカードリーダ16に挿入後、リモコン装置22のスイッチ21の操作により、例えば映画など好きな動画コンテンツの有料視聴を指示すると、動画コンテンツ処理制御手段52が、ＮＥＴ通信制御手段61により管理サーバ31に配信リクエストを送信する。管理サーバ31は、該配信リクエストを受信すると、利用者が指定した動画コンテンツに対応する映画番号と全放映時間を端末装置14に返信すると共に、配信サーバ32に配信指示を送信する。このとき、管理サーバ31は、複数の配信サーバ32の中から負荷の軽いものを選択して配信指示を行う。」
　　
（イ）引用文献２に記載された技術
　引用文献２には、『ハイライトシーンの時間データが関連付けられたプレビューポジションに沿ってハイライトシーンのみを端末に配信する』技術が記載されている。
　　
ウ　引用文献３
　原査定の理由で引用された引用文献３には、『ビデオオンデマンドにおいて、利用者の嗜好に応じてコンテンツを推奨する』技術が記載されている（段落【００３６】等）。
　　
エ　引用文献４
　原査定の理由で周知技術として、引用された引用文献４には、『１つのコンテンツから複数の部分を切り出し、これらをつなげたダイジェスト映像を作成する』技術が記載されている（【要約】等）。
　　
（２）対比
　本願発明１と引用発明とを対比する。
　　
ア　構成要件Ａ、Ｉと構成ａ、ｄとを対比すると、「コンピューター実装方法」として一致する。
　　
イ　構成要件Ｂと構成ｂとを対比する。
　引用発明の「クライアントプレイヤー」、「映画の種類に対応した複数の映画」は、それぞれ、本願発明１の「クライアント装置」、「第１のメディアタイトル群」に相当する。
　したがって、本願発明１と引用発明とは、「クライアント装置に提示する第１のメディアタイトル群を特定するステップ」を備える点で一致する。
　　
ウ　構成要件Ｃ、Ｄと構成ｃとを対比する。
　引用発明の「映画の種類に対応した複数の映画に含まれる選択された映画」は、本願発明１の「前記第１のメディアタイトル群に含まれる第１のメディアタイトル」に相当する。
　また、引用発明の「映画の種類に対応した複数の映画に含まれる選択された映画のストリーミングするステップ」は、「前記クライアント装置で自動再生するように構成された前記第１のメディアタイトルを前記クライアント装置へストリーミングするステップ」といえる。
　したがって、本願発明１と引用発明とは、「前記第１のメディアタイトル群に含まれる第１のメディアタイトルに対して、前記クライアント装置で自動再生するように構成された前記第１のメディアタイトルを前記クライアント装置へストリーミングするステップ」を備える点で共通する。
　しかしながら、「前記クライアント装置で自動再生するように構成された前記第１のメディアタイトルを前記クライアント装置へストリーミングするステップ」が、
　本願発明においては、「
前記第１の挿入ポイントから
前記第１の挿入ポイントから
（下線は相違を強調するために付与した。）
　　
エ　構成要件Ｅ〜Ｈについて
　引用発明は、構成要件Ｅ〜Ｈを備えていない点で、本願発明１と相違する。
オ　以上より、一致点、相違点は次のとおりである。
（一致点）
　コンピューター実装方法であって、
　クライアント装置に提示する第１のメディアタイトル群を特定するステップと、
　前記第１のメディアタイトル群に含まれる第１のメディアタイトルに対して、前記クライアント装置で自動再生するように構成された前記第１のメディアタイトルを前記クライアント装置へストリーミングするステップと、
　を備えたコンピューター実装方法。
　　
（相違点１）
　「前記クライアント装置で自動再生するように構成された前記第１のメディアタイトルを前記クライアント装置へストリーミングするステップ」が、
　本願発明１においては、「
前記第１の挿入ポイントから
前記第１の挿入ポイントから
　引用発明においては当該第１の挿入ポイントを特定するステップを備えておらず、「第１の挿入ポイントから」ストリーミングするものでない点
　　
（相違点２）
　第１のメディアタイトルを第１の挿入ポイントからクライアント装置へストリーミングした後のステップに関し、本願発明１が、
「前記第１の挿入ポイントを介して第１のメディアタイトルが前記クライアント装置上でプレビューされた印を記録するステップ」（構成要件Ｅ）、
「前記複数の挿入ポイントに含まれた挿入ポイントであって、前記印が記録された該挿入ポイントから前記第１のメディアタイトルが前記クライアント装置でプレビューされる挿入ポイントは、少なくとも指定された時間内に二回用いられることがないものであり、
　前記印に基づいて、前記第１のメディアタイトルが前記クライアント装置上で既に前記第１の挿入ポイントからストリーミングの開始が行われたことを判定するステップ」（構成要件Ｆ）、
「前記クライアント装置へ第１のメディアタイトルのストリーミングを開始する前記複数の挿入ポイントのうちの第２のフレームを指定する第２の挿入ポイントであって、前記第１の挿入ポイントとは異なる前記第２の挿入ポイントを前記第１のメディアタイトルに対して特定するステップ」（構成要件Ｇ）、
「前記第２の挿入ポイントから前記クライアント装置に前記第１のメディアタイトルのストリーミングを開始するステップ」（構成要件Ｉ）を備えるのに対し、
　引用発明が、そのようなステップを備えていない点
　　
（３）判断
ア　相違点１について
　上記（１）イ（イ）のとおり、引用文献２には、『プレビューポジションに沿ってハイライトシーンのみを端末に配信する』技術（以下「引用文献２の技術」という。）が記載されている。
　引用文献２の技術は、コンテンツを配信する技術であって、引用発明と同じ技術分野であるから、引用発明に引用文献２の技術を適用することは当業者が容易に着想することである。
　引用発明に引用文献２の技術を適用することにより、引用発明は、「ハイライトシーンの時間データが関連付けられたプレビューポジションに沿ってハイライトシーンのみを端末に配信する」こととなる。「ハイライトシーンの時間データが関連付けられたプレビューポジション」は、「前記第１のメディアタイトル群に含まれる第１のメディアタイトルに対して、前記第１のメディアタイトルに対して特定された」「挿入ポイント」に相当し、また、１つのメディアタイトルに複数のハイライトシーンがあることは通常想定されることであるから、「ハイライトシーンの時間データが関連付けられたプレビューポジションに沿ってハイライトシーンのみを端末に配信する」にあたり、複数のプレビューポジションから１つのプレビューポジションを選択し、そのプレビューポジションのハイライトシーンからストリーミングを開始することは、当業者が容易に想到し得ることである。
　したがって、引用発明において、「前記第１のメディアタイトル群に含まれる第１のメディアタイトルに対して、前記第１のメディアタイトルに対して特定された複数の挿入ポイントから選択された第１の挿入ポイントであって、前記クライアント装置に前記第１のメディアタイトルのストリーミングを開始する第１のフレームを指定する第１の挿入ポイントを特定するステップ」を備え、「
前記第１の挿入ポイントから
前記第１の挿入ポイントから
　　
イ　相違点２について
　引用文献４記載の「１つのコンテンツから複数の部分を切り出し、これらをつなげたダイジェスト映像を作成する」技術（上記（１）エ）、及び「コンテンツの再生を中断する場合において再生を中断した位置を記録し、次に前記コンテンツを再生するときに、前記再生を中断した位置から再生を開始する」技術が周知技術であることを勘案すると、引用発明に引用文献２の技術を適用した発明において、自動再生が中断された場合、中断された位置から自動再生を再開すること、すなわち、ハイライトシーンの中断フレーム（第２の挿入ポイント）からストリーミングを再開（開始）することは、当業者が容易に想定すると認められる。
　しかしながら、本願発明１は、「前記第１の挿入ポイントを介して第１のメディアタイトルが前記クライアント装置上でプレビューされた印を記録」し（構成要件Ｅ）、「前記複数の挿入ポイントに含まれた挿入ポイントであって、前記印が記録された該挿入ポイントから前記第１のメディアタイトルが前記クライアント装置でプレビューされる挿入ポイントは、少なくとも指定された時間内に二回用いられることがないもの」（構成要件Ｆ）を有しており、引用文献２〜４には、引用発明をこのような構成にする理由を見つけることができない。
　したがって、本願発明１は、引用発明及び引用文献２〜４に記載された技術に基づいて当業者が容易に発明できたものとは認められない。
　　
（４）小括
　以上のとおり、本願発明１は、引用文献１〜４に記載された発明に基づいて、当業者が容易に発明できたものとは認められない。
　本願発明２〜６は、請求項１を引用しているので、本願発明１と同じ理由で、引用文献１〜４に記載された発明に基づいて、当業者が容易に発明できたものとは認められない。
　また、本願発明７は、本願発明１における「コンピュータ実装方法」の発明を、「コンピュータ読み取り可能な記録媒体」の発明としたものであり、本願発明１と同様な理由により、本願発明７は、引用文献１〜４に記載された発明に基づいて、当業者が容易に発明できたものとは認められない。
　本願発明８〜１２は、請求項７を引用しているので、本願発明７と同じ理由で、引用文献１〜４に記載された発明に基づいて、当業者が容易に発明できたものとは認められない。
　さらに、本願発明１３は、本願発明１における「コンピュータ実装方法」の発明を、「システム」の発明としたものであり、本願発明１と同様な理由により、本願発明１３は、引用文献１〜４に記載された発明に基づいて、当業者が容易に発明できたものとは認められない。
　本願発明１４〜１８は、請求項１３を引用しているので、本願発明１３と同じ理由で、引用文献１〜４に記載された発明に基づいて、当業者が容易に発明できたものとは認められない。
　　
第３　当審拒絶理由について
１　当審拒絶理由の概要
　この出願は、発明の詳細な説明の記載について下記の点で、特許法第３６条第４項第１号に規定する要件を満たしていない。 
 　 
 　　　　　　　　　　　　　　　　　記 
 　請求項１、７、１３における「所定の表示セッション」が、発明の詳細な説明のどの部分に対応しているのか明確でない。 
 　　 
 　請求人は、審判請求書７頁において、段落【００２１】の記載に基づいていると主張しているが、段落【００２１】には、「所定の表示セッションの一部として、前記第１の挿入ポイントを介して第１のメディアタイトルが前記クライアント装置上でプレビューされた印を記録する」ことは記載されているが、「前記所定の表示セッションの一部として、前記クライアント装置へ第１のメディアタイトルのストリーミングを開始する前記複数の挿入ポイントのうちの第２のフレームを指定する第２の挿入ポイントであって、前記第１の挿入ポイントとは異なる前記第２の挿入ポイントを前記第１のメディアタイトルに対して特定する」ことについては記載されていない。 
 　発明の詳細な説明の他の記載をみても、「前記所定の表示セッションの一部として、前記クライアント装置へ第１のメディアタイトルのストリーミングを開始する前記複数の挿入ポイントのうちの第２のフレームを指定する第２の挿入ポイントであって、前記第１の挿入ポイントとは異なる前記第２の挿入ポイントを前記第１のメディアタイトルに対して特定する」ことが記載されているとは認められない。 
 　　 
 　請求項２〜６は、請求項１を引用し、請求項８〜１２は、請求項７を引用し、請求項１４〜１８は、請求項１３を引用しているので、同様である。 
（なお、当審拒絶理由中の上記請求項は、平成２８年１月４日付け手続補正により補正された特許請求の範囲に記載された請求項である。）
　　
２　当審拒絶理由の理由についての検討
　平成２８年１２月１３日付け手続補正により、請求項１、請求項７、請求項１３に記載されていた「所定の表示セッション」が削除された。
　発明の詳細な説明は、当業者が、請求項１〜１８に係る発明の実施をできる程度に明確かつ十分に記載されていると認められる。
　以上のとおりであるから、上記１の理由は解消した。
　　
第４　むすび
　以上のとおり、原査定の理由によっては、本願を拒絶することはできない。
　また、他に本願を拒絶すべき理由を発見しない。
　よって、結論のとおり審決する。